(57)【要約】      （修正有）【課題】風を３６０度より受けることが可能で、より小型化、より効率化することにより、低コスト化ができる風力発電装置の提供。【解決手段】回転翼と発電機の距離を短くしたいが、そうすると、発電機が支柱の上のほうに設置せざる負えないので、不安定となり基礎も大きくなる。それを解決するには、支柱を短くするなどして、建物の屋上等に据えつけるのがよい解決となろう。【選択図】図１
0003112590.tif 000002
【実用新案登録請求の範囲】
【請求項１】
従来の風力発電における回転翼及び発電機を、縦軸に配置することにより、より効率よく能力が期待できるように、考案したものである。
【請求項２】
回転翼の羽を短くすることにより、発電装置の駆動、及び操作範囲で省スペース化が可能である。
【請求項３】
雨対策として、傘状の雨よけを設けることにより雨対策となる．
【考案の詳細な説明】
【技術分野】
【０００１】  本考案は、従来の風力発電装置を、より効率敵にするために、発電装置を縦軸とすることとし、回転翼を横置きとしてとりつけることにより、装置本体の重量を小さくして、効率を高めることができる。【０００２】  また、回転翼を、短くすることにより、周囲駆動上及び捜査上のスペースが、狭くすることができ、省スペースとなる。【０００３】  また、装置を小型化することにより、一般家庭用としての利用も考えられる。【０００４】  雨対策として、回転翼の上部に、傘状の雨よけを設けることにより、発電機器の雨対策とできる。
【背景技術】
【０００５】  従来の風力発電機は、回転翼が長いために、駆動の伝達装置が複雑となっていた、しかし、本考案では、回転翼と発電機を一体化することにより、より省スペース化、効率化が可能となった。
【考案が解決しようとする課題】
【０００６】  従来の装置は、大掛かりなため設置に制約が大きい。
【考案の効果】
【０００７】  従来の大型装置を、より小型化、より効率化することにより、低コスト化できるために、一般化が期待できる。
【考案を実施するための最良の形態】
【０００８】  詳しくは、図面１、図面２による。
【産業上の利用可能性】
【０００９】  小型化、低コスト化により、普及が活性化される。
【図面の簡単な説明】
【００１０】
【図面１】
装置の概略見取り図である。
【図面２】
装置の概略システム図である。
【符号の説明】
【００１１】          １  発電機
２  回転翼
３  雨よけ
４  シャフト
５  地盤面
６  基礎
７  支柱
８  風力発電装置
９  蓄電池
１０  電柱
【図１】
0003112590.tif 000003
【図２】
0003112590.tif 000004
【手続補正書】
【提出日】平成16年7月16日(2004.7.16)
【手続補正１】
【補正対象書類名】実用新案登録請求の範囲
【補正対象項目名】請求項３
【補正方法】変更
【補正の内容】
【請求項３】
風を効率良く受け、かつ強風より防御するためフードボックスで回転翼を覆いこむ。あわせて、風の流れを利用して換気を行うことができる。
【手続補正２】
【補正対象書類名】明細書
【補正対象項目名】０００１
【補正方法】変更
【補正の内容】
【０００１】  本考案は、従来の風力発電装置を、より効率的にするために、発電装置を縦軸とすることとし、回転翼の回転軸を縦軸とすることにより、装置本体の重量を小さくして、効率を高めることができる。また、フードボックスを取り付けることで、換気筒としての併用も可能である。
【手続補正３】
【補正対象書類名】明細書
【補正対象項目名】０００２
【補正方法】変更
【補正の内容】
【０００２】  回転翼を、短くすることにより、振動を和らげ、駆動上も有利になり、操作上のスペースが、狭くすることができるので省スペースで納まる。
【手続補正４】
【補正対象書類名】明細書
【補正対象項目名】０００４
【補正方法】変更
【補正の内容】
【０００４】  別に、風を効率的に利用するために、回転翼全体を回転フードボックスで覆いこむ．同時に、風の流れを利用した換気筒としての利用も可能とする．
【手続補正５】
【補正対象書類名】明細書
【補正対象項目名】００１１
【補正方法】変更
【補正の内容】
【００１１】                １    発電機                        ２    回転翼
３    回転フードボックス            ４    シャフト
５    地盤面                        ６    基礎
７    支柱                          ８    風力発電機
９    蓄電池                      １０    電柱
【手続補正６】
【補正対象書類名】図面
【補正対象項目名】補正の内容のとおり
【補正方法】変更
【補正の内容】
0003112590.tif 000005
0003112590.tif 000006
0003112590.tif 000007
【手続補正書】
【提出日】平成16年9月6日(2004.9.6)
【手続補正１】
【補正対象書類名】実用新案登録請求の範囲
【補正対象項目名】請求項１
【補正方法】変更
【補正の内容】
【請求項１】
風力発電における回転翼を、縦軸に配置することにより、より効率良く能力が期待できるように考案した。
【手続補正２】
【補正対象書類名】実用新案登録請求の範囲
【補正対象項目名】請求項３
【補正方法】変更
【補正の内容】
【請求項３】
風を効率良く受け、かつ強風より防御するためフードボックスで回転翼を覆いこむ。あわせて、風の流れを利用して換気を行うことができる。
【手続補正３】
【補正対象書類名】明細書
【補正対象項目名】０００１
【補正方法】変更
【補正の内容】
【０００１】  本考案は、風力発電を、より効率的にするために、発電装置の駆動回転軸を縦軸とし、、回転翼の回転軸を縦軸とすることにより、装置本体の重量を小さくして、効率を高めることができる。また、フードボックスを取り付けることで、換気筒としての併用も可能である。
【手続補正４】
【補正対象書類名】明細書
【補正対象項目名】０００２
【補正方法】変更
【補正の内容】
【０００２】  回転翼を、短くすることにより、振動を和らげ、駆動上も有利になり、操作上のスペースが、狭くすることができるので省スペースで納まる。
【手続補正５】
【補正対象書類名】明細書
【補正対象項目名】０００４
【補正方法】変更
【補正の内容】
【０００４】  別に、風を効率的に利用するために、回転翼全体を回転フードボックスで覆いこむ．同時に、風の流れを利用した換気筒としての利用も可能とする．
【手続補正６】
【補正対象書類名】明細書
【補正対象項目名】０００５
【補正方法】変更
【補正の内容】
【０００５】  回転翼の長い風力発電機に比べ、本考案では、回転翼と発電機を一体化することにより、より省スペース化、効率化が可能となった。
【手続補正７】
【補正対象書類名】明細書
【補正対象項目名】０００６
【補正方法】変更
【補正の内容】
【０００６】  大掛かりな風力発電装置は、設置に制約が大きく普及が進みにくい。
【手続補正８】
【補正対象書類名】明細書
【補正対象項目名】０００７
【補正方法】変更
【補正の内容】
【０００７】  小型化、効率化が可能なので、低コスト化ができるために、一般化が期待できる。
【手続補正９】
【補正対象書類名】明細書
【補正対象項目名】００１１
【補正方法】変更
【補正の内容】
【００１１】１    発電機                        ２    回転翼
３    回転フードボックス            ４    シャフト
５    地盤面                        ６    基礎
７    支柱                          ８    風力発電機
９    蓄電池                      １０    電柱
【手続補正１０】
【補正対象書類名】図面
【補正対象項目名】図１
【補正方法】変更
【補正の内容】
【図１】
0003112590.tif 000008
【手続補正１１】
【補正対象書類名】図面
【補正対象項目名】図２
【補正方法】変更
【補正の内容】
【図２】
0003112590.tif 000009
【手続補正書】
【提出日】平成17年2月22日(2005.2.22)
【手続補正１】
【補正対象書類名】実用新案登録請求の範囲
【補正対象項目名】全文
【補正方法】変更
【補正の内容】
【実用新案登録請求の範囲】
【請求項１】
風力発電機の回転翼を縦軸としたものであって、回転翼をフードボックスで覆いこむことにより、効率よく風を利用できるようにした風力発電機である。
【請求項２】
回転翼の羽を短くし、発電装置の省スペース化を可能とした風力発電装置である。
【請求項３】
回転翼をフードボックスで覆いこむことにより、風力発電と同時に換気をおこなうことができる風力発電装置である。
【手続補正２】
【補正対象書類名】図面
【補正対象項目名】全図
【補正方法】変更
【補正の内容】
【図１】
0003112590.tif 000010
【図２】
0003112590.tif 000011